(57)【要約】【課題】４本足で水平調節の容易な電子天びんを提供する。【解決手段】電子天びん本体１の底部前方二隅に水平調節用足１２、１３を、同底部後方一隅に固定足１４を、同底部後方の他の一隅に、自重により床に接触した状態でロック可能な自重降下足１５をそれぞれ設けて電子天びんを支持する。前記水平調節用足１２、１３と固定足１４の３本足で水平調節を行った後、前記自重降下足１５の足をロックねじ１８で固定する。したがって２本の水平調節用足の高さ調節のみで水平を調節できる。【選択図】      図１
2004309434.tif 000002
【特許請求の範囲】
【請求項１】
使用状態では４本の足で支える電子天びん／電子はかりにおいて、その内の１本の足を自重にて自由に降下する機構と、その位置を固定するロック機構とを備え、水平調節は他の３本の足で行い、水平調節後、自重により降下する足を前記ロック機構でロックするようにしたことを特徴とする電子天びん／電子はかり。
【請求項２】
水平調節をする３本の足のうち、１本の足を他の２本の足より中央に寄せて設けるようにした請求項１記載の電子天びん／電子はかり。
【発明の詳細な説明】
【０００１】
【発明の属する技術分野】
本発明は、設置場所に水平に据え付けるための水平調節機構を備えた電子天びん／電子はかりに関する。
【０００２】
【従来の技術】
一般に、電子天びん／電子はかり（以後電子天びんと称す）をある場所に設置する場合に、電子天びんを水平に据え付けることが必要である。このため電子天びん本体を支持する３個あるいは４個以上の足の内いくつかを、レベリングスクリュー等を用いて足の高さを個別に調整できるようにしている（例えば、特許文献１、２参照。）。
なかでも試料の載荷場所に対応して発生する偏置誤差を嫌う高精度の電子天びんや、表示部を除いた電子天びん本体の外形寸法にほぼ等しい秤量皿を持つ電子天びん、特に大秤量の電子天びんにおいては、秤量皿の隅に試料を載せた場合でも電子天びんが倒れないようにするため、電子天びんを支える足を電子天びん本体の４隅に設け、４本足とすることが必要である。この場合、少なくとも３本の足に調整ねじを設けてこれを調整することにより電子天びんを水平に設置するようにしていた。
【０００３】
【特許文献１】
特開平１０−４８０３５号公報
【特許文献２】
特開２０００−７４７２９号公報
【０００４】
【発明が解決しようとする課題】
従来の電子天びんの多くは、高精度を保持し、試料の偏置による転倒を防止するために４本足で支持されているが、電子天びんの足を４本とした場合に、４本の足が床面に接している状態で水平（水準）調節をすることは非常に困難であった。実際に調整するときには、一箇所の水平調節足を床に接しないように上方に上げておき、かつ三箇所の足の設置により電子天びんが転倒しないよう電子天びんの一部を手で押えながら残る三箇所の足で水平調節を行い、この調整後残りの１箇所の足を床面に接するように下方に下ろしていた。この作業は一人で行うもので、非常に面倒な作業であった。
【０００５】
本発明は、このような事情に鑑みて成されたものであり、電子天びんを設置する場合の水平調節が簡単で、転倒や偏置誤差を無くすことができる電子天びんを提供することを目的とするものである。
【０００６】
【課題を解決するための手段】
上記の目的を達成するため、本発明の電子天びんは、使用状態では４本の足で支持され、その内の一本の足を自重にて自由に降下する機構と、その位置を固定するロック機構を備え、水平調節は他の３本の足で行い、水平調節後、自重により降下する足を前記ロック機構でロックするようにした。
また、上記水平調節用の３本の足の内、一本の足を他の２本の足より中央に寄せて設けるようにした。
【０００７】
本発明の電子天びんは上記のように構成されており、水平調節は３本の足（実質水平調整を行うのは２本だけ）で容易に調節でき、使用時は４本の足で支持しているので、転倒や偏置誤差を無くし、高精度の電子天びんを提供することができる。
【０００８】
【発明の実施の形態】
本発明の実施例を図面を参照しながら説明する。図１は実施例による電子天びんの概略構成図であり、そのうち（ａ）は電子天びんの正面図、（ｂ）は右側面図、（ｃ）は底面図、（ｄ）は後面図である。これら図面に示す本発明の電子天びんは、図１（ａ）に示すように、基本的には周知の電磁力平衡方式あるいは歪み計方式などを採用した荷重検出部（図示しない）と測定値等を表示する表示部１１を収容する電子天びん本体１とその上部に連設された秤量皿２から構成されている。
【０００９】
前記電子天びん本体１は、図１（ａ）、（ｂ）、（ｃ）に示されるような、底面の前方の左右二隅に取り付けられた高さ調節可能の水平調節用足１２、１３と、図１（ｂ）、（ｃ）、（ｄ）に示すような底面の後方の一隅に取り付けられた高さ一定の固定足１４と、他方の一隅に取り付けられた、自重により足が下がりその位置をロックすることができる自重降下足１５とにより支持されている。
【００１０】
前記水平調節用足１２、１３には雄ねじが切ってあり、電子天びん本体１に設けられている雌ねじに螺合して前記水平調節用足１２、１３を回転させることによりその高さを調節できるようになっている。また、前記自動降下足１５は、断面が円形で、図２に示すように、電子天びん本体１内に設けられた垂直方向のガイド孔１６に滑合し、ストッパで制限された範囲内で、その自重により先端が設置床面に接するまで降下する。そして、この自動降下足１５は、電子天びん本体１内の後面から前記ガイド孔１６に直交するように設けられたねじ孔１７に螺合させたロックねじ１８により必要な高さに固定することができる。
【００１１】
この電子天びんを設置場所に据え付けるには、先ず始めにロックねじ１８を緩めて、前記自動降下足１５がその自重により先端が設置床面に接するようにしておく。これにより、電子天びんを設置場所に置いたとき、電子天びんは前記２本の水平調整用足１２、１３と固定足１４の３本の足で支持されることになる。
【００１２】
上記の状態の電子天びんを設置場所に置いて電子天びん本体１の左前を押え、その上部に備えられている水平状態を表示するレベルゲージを見ながら、水平調整用足１２、１３の高さを調整して電子天びん本体１を水平位置に保つ。そして、ロックねじ１８を締めることにより自重で床面に接している状態の自動降下足１５をロックする。これにより、電子天びんは４本の足で水平状態が維持されるので、試料の載荷位置によって生じる偏置誤差が減少し、高精度の測定が可能となる。なお、前記ロックねじ１８を緩めた際、自重降下足１５が床面に落ちる時のショックを緩和するために、自動降下足１５をスプリングで吊ったり、自動降下足１５と前記ガイド孔１６との間に粉体あるいは粘液性流体などの落下緩衝材を入れるようにしてもよい。
【００１３】
図３は、本発明の他の実施例を示すもので、その底面図に示すように前記固定足１４を電子天びん本体１の中央よりに取り付けるようにしたものである。これにより、電子天びんの水平調節時の設置状態が安定し、手で支えることが不要となり、その分水平調節作業がしやすくなる。
【００１４】
なお、本発明は、以上説明したとおりであるが、上記ならびに図示の実施例に限定されるものではなく、本発明の趣旨を生かした他の変形実施例を含むものである。例えば、自動降下足の断面を四角形にすることによってロックしやすくしたり、ロックねじを電動モータで駆動することにより締め込み作業を容易にすることもできる。
【００１５】
【発明の効果】
電子天びんは、電子天びん本体の底部の前方に取り付けられた２本の水平調節足と、同底部の後方に取り付けられた１本の固定足と、自重で降下する自重降下足の合計４本の足によって支えられるが、水平調節の際には実質的に１本の固定足と２本の水平調節足の合計３本で支えられているのと同様になり、３本足だけの場合のように２本の水平調節足の高さ調節のみで容易に水平を調節することができる。そして、水平の調節後は、自動降下足をロックして、電子天びんは４本の足で四隅を支えられるので、偏置荷重による転倒や誤差の発生が防止できる。
【図面の簡単な説明】
【図１】本発明の電子天びんの正面図（ａ）、右側面図（ｂ）、底面図（ｃ）、（ｄ）後面図である。
【図２】実施例に係わる自重降下足周辺の構成図である。
【図３】他の実施例による電子天びんの底面図である。
【符号の説明】
１  電子天びん本体
２  秤量皿
１１  表示部
１２  水平調節用足
１３  水平調節用足
１４  固定足
１５  自動降下足
１６  ガイド孔
１７  ねじ孔
１８  ロックねじ
【図１】
2004309434.tif 000003
【図２】
2004309434.tif 000004
【図３】
2004309434.tif 000005